(57)【要約】【課題】ユーザーの希望をきめ細かく取り上げることができ、かつ高度な熟練を要することなく比較的簡単に集合住宅のプラニングをすることができる集合住宅の間取りの選定システムを提供する。【解決手段】（ａ）窓、玄関ドアおよびパイプスペースを含む位置が固定されている要素が入力された住戸のプラン、前記パイプスペースを含むように設定された複数種類の水廻りのプラン、面積の異なる複数種類のリビングのプラン、前記リビング以外の居室の複数種類のプラン、および複数の収納スペースのプランが少なくとも記憶されている記憶手段、（ｂ）前記プランを呼び出して合成処理を行なう処理手段、（ｃ）前記合成処理の過程を表示する表示手段、および（ｄ）前記記憶手段に記憶されている複数のプランの選定および合成の指示を行なう入力手段からなる集合住宅の間取りの選定システム。【選択図】        図１
2004326699.tif 000002
【特許請求の範囲】
【請求項１】
（ａ）窓、玄関ドアおよびパイプスペースを含む、位置が固定されている要素が入力された住戸のプラン、前記パイプスペースを含むように設定された複数種類の水廻りのプラン、前記住戸のベランダ側の形状および前記水廻りの形状に適合し、かつ面積の異なる複数種類のリビングのプラン、前記リビング以外の居室の複数種類のプラン、および複数の収納スペースのプランが少なくとも記憶されている記憶手段、
（ｂ）該記憶手段に記憶されているプランを呼び出して合成処理を行なう処理手段、
（ｃ）前記合成処理の過程を表示する表示手段、および
（ｄ）前記記憶手段に記憶されている複数のプランの選定および合成の指示を行なう入力手段
からなることを特徴とする集合住宅の間取りの選定システム。
【請求項２】
合成処理された結果を出力する出力手段をさらに備えてなる請求項１記載の集合住宅の間取りの選定システム。
【請求項３】
請求項１記載のシステムを用いて集合住宅の間取りを選定する方法であって、
（ｉ）前記記憶手段に記憶されている住戸のプランを呼び出して前記表示手段上に表示する工程、
（ｉｉ）前記記憶手段に記憶されている複数種類の水廻りのプランを呼び出して表示手段上に表示し、前記入力手段の操作により選定された水廻りのプランを前記処理手段によって前記住戸のプランの所定の位置に合成する工程、
（ｉｉｉ）前記記憶手段に記憶されている複数種類のリビングのプランを呼び出して表示手段上に表示し、前記入力手段の操作により選定されたリビングのプランを前記処理手段によって前記住戸のプランの所定の位置に合成する工程、
（ｉｖ）前記記憶手段に記憶されている複数種類の居室のプランを呼び出して表示手段上に表示し、前記入力手段の操作により選定された居室のプランを前記処理手段によって前記住戸のプランの所定の位置に合成する工程、および
（ｖ）前記記憶手段に記憶されている複数種類の収納スペースのプランを呼び出して表示手段上に表示し、前記住戸のプランの空きスペースの範囲内で、前記入力手段の操作により選定された収納スペースのプランを前記処理手段によって前記住戸のプランの所定の位置に合成する工程
を含むことを特徴とする集合住宅の間取りの選定方法。
【請求項４】
前記記憶手段に前記収納スペースと同面積の窓無しタイプの部屋のプランが複数種類記憶されており、前記工程（ｖ）において、収納スペースに代えて窓無しタイプの部屋のプランを前記表示手段上に表示し、前記住戸のプランの空きスペースの範囲内で、前記入力手段の操作により選定された窓無しタイプの部屋のプランを前記処理手段によって前記住戸のプランの所定の位置に合成する工程をさらに含む請求項３記載の集合住宅の間取りの選定方法。
【発明の詳細な説明】
【０００１】
【発明の属する技術分野】
本発明は集合住宅の間取りの選定システムおよび方法に関する。さらに詳しくは、マンションなどの集合住宅において、ユーザーの希望をきめ細かく取り上げることができ、かつ高度な熟練を要することなく比較的簡単に集合住宅のプラニング（間取り）をすることができる集合住宅の間取りの選定システムおよび方法に関する。
【０００２】
【従来の技術および発明が解決しようとする課題】
従来より、マンション、団地、アパートなどの集合住宅においては、主として工期短縮およびコスト削減、さらには構造上の制約のため限られた種類の間取りしか提供されておらず、広さが同じであれば、どの住戸も似たような間取りであった。とくに、高層集合住宅の上下階においては、柱の位置が共通しており、かつ台所や浴室などの水廻りの給排水管を収容するパイプスペースも共通しているため、同一の間取りを採用しているケースがほとんどであった。
【０００３】
これに対し、最近、とくに民間のディベロッパーが販売するマンションにおいて、いわゆるフリープラニングを取り入れ、ユーザーの希望をある程度反映させることができるものもあるが、ベランダ側に広めのリビングを取るか、またはリビングを節約してその分居室を１つ増やすといった、きわめて限られた範囲の自由度しかユーザーには与えられていないのが実情である。
【０００４】
一方、住宅の供給側にとっても、販売戦略上、ユーザーの希望に沿った間取りを提供しようとしても、構造上または法律上の制約によりユーザーの希望通りにはいかない場合がある。そして、いくつかの制約を克服しつつ間取りを選定するには高度の建築上および法律上の知識を要するため、相応の費用が回収できる注文住宅を除き、一般のマンションなどではユーザーの希望を取り入れたプラニングは行なわれていない。
【０００５】
本発明は、前述した従来技術の問題を解消するためになされたものであり、ユーザーの希望をきめ細かく取り上げることができ、かつ高度な熟練を要することなく比較的簡単に建物のプラニングをすることができる集合住宅の間取りの選定システムおよび方法を提供することを目的とする。
【０００６】
【課題を解決するための手段】
本発明の集合住宅の間取りの選定システムは、（ａ）窓、玄関ドアおよびパイプスペースを含む、位置が固定されている要素が入力された住戸のプラン、前記パイプスペースを含むように設定された複数種類の水廻りのプラン、前記住戸のベランダ側の形状および前記水廻りの形状に適合し、かつ面積の異なる複数種類のリビングのプラン、前記リビング以外の居室の複数種類のプラン、および複数の収納スペースのプランが少なくとも記憶されている記憶手段、
（ｂ）該記憶手段に記憶されているプランを呼び出して合成処理を行なう処理手段、
（ｃ）前記合成処理の過程を表示する表示手段、および
（ｄ）前記記憶手段に記憶されている複数のプランの選定および合成の指示を行なう入力手段からなることを特徴としている。
【０００７】
また、本発明の集合住宅の間取りの選定方法は、前述したシステムを用いて集合住宅の間取りを選定する方法であって、
（ｉ）前記記憶手段に記憶されている住戸のプランを呼び出して前記表示手段上に表示する工程、
（ｉｉ）前記記憶手段に記憶されている複数種類の水廻りのプランを呼び出して表示手段上に表示し、前記入力手段の操作により選定された水廻りのプランを前記処理手段によって前記住戸のプランの所定の位置に合成する工程、
（ｉｉｉ）前記記憶手段に記憶されている複数種類のリビングのプランを呼び出して表示手段上に表示し、前記入力手段の操作により選定されたリビングのプランを前記処理手段によって前記住戸のプランの所定の位置に合成する工程、
（ｉｖ）前記記憶手段に記憶されている複数種類の居室のプランを呼び出して表示手段上に表示し、前記入力手段の操作により選定された居室のプランを前記処理手段によって前記住戸のプランの所定の位置に合成する工程、および
（ｖ）前記記憶手段に記憶されている複数種類の収納スペースのプランを呼び出して表示手段上に表示し、前記住戸のプランの空きスペースの範囲内で、前記入力手段の操作により選定された収納スペースのプランを前記処理手段によって前記住戸のプランの所定の位置に合成する工程
を含むことを特徴としている。
【０００８】
【発明の実施の形態】
以下、添付図面を参照しつつ、本発明の集合住宅の間取りの選定システムおよび方法を詳細に説明する。
【０００９】
図１は本発明の集合住宅の間取りの選定システムの構成図であり、該選定システムＳは、各種の演算や処理を行なう、処理手段である中央処理装置（ＣＰＵ）１を中心として、集合住宅のプランの例などを記憶している記憶手段２、かかるプランの例や集合住宅のプランの作成過程を表示する表示手段３、入力手段４、およびプラニングの結果を出力する出力手段５から構成されている。
【００１０】
前記記憶手段２は、たとえばＲＯＭやＲＡＭなどのメモリーからなっており、集合住宅の間取りを選定する際の基礎となる各種のデータが記憶されている。このデータには、図２に示されるような、プラニングを行なう対象となる住戸の基本プランＰが含まれており、この基本プランＰには窓Ｗ、玄関ドアＤ、パイプスペースＰＳ、バルコニー、共用廊下などの当該住戸においてその位置が固定されている、共用部分にかかわる要素が予め入力されている。本発明は、この共用部分以外のいわゆる専用部分についてプラニングを行なうものである。
【００１１】
前記住戸のプランＰは、一棟の建物に対して通常は複数種類存在している。たとえば、平面がＬ字形の建物の場合、コーナーに位置する住戸と直線部分に位置する住戸とでは窓や玄関の配置が異なっており、また平面がＩ字形の建物においても、両端の住戸とそのあいだに位置する住戸とでは窓の配置が異なっている。さらに、多くの建物は、立地上の制約などにより前述したＬ字形やＩ字形以外の複雑な平面形状を有しており、またユーザーのニーズに応じて面積やタイプ（４ＬＤＫ、３ＬＤＫ、２ＬＤＫなどの各種タイプのこと）の異なる住戸を提供することが一般的である。したがって、記憶手段２には、対象となる特定の建物におけるすべての種類の住戸の基本プランＰが記憶されている。
【００１２】
前述したデータには、さらにパイプスペースを含むように設定された複数種類の水廻りのプラン、および住戸のベランダ側の形状および前記水廻りの形状に適合し、かつ面積の異なる複数種類のリビングのプランが含まれている。
【００１３】
構造、コストおよびメンテナンス上の理由により給排水管を収納しているパイプスペースは建物の上下階において同一の平面位置にあるのが好ましく、かつ一般的である。また、水を多量に使用する台所、浴室およびトイレなどは全体を水廻りとして一つのユニットと考えることができる。そこで、本発明では、かかる水廻りのユニットをパイプスペースの近傍に配置するという前提のもとに、複数種類の水廻りのプランが基本となる住戸のプラン毎にデータとして記憶手段２に記憶されている。
【００１４】
この水廻りＫのプランの例としては、たとえば図３に示されるような、それぞれＬ型キッチン（図３の（ａ））、Ｉ型キッチン（図３の（ｂ））およびカウンターキッチン（図３の（ｃ））を中心とした水廻りをあげることができるが、本発明はこれらに限定されるものではなく、建物のグレードやパイプスペースＰＳの位置などに応じて他の型式の水廻りを採用することもできる。なお、図３に示される例では、トイレＴと浴室Ｂが一体になっているが、トイレＴを台所ユニットとは別の位置に配置するようにしてもよい。すなわち、本明細書において、「水廻り」とは、台所、浴室、トイレ、洗面台など水を使用する部位からなるものであるが、すべての部位が水廻りのプラン中に含まれている場合に限定されるものではなく、それらの一部だけを水廻りのプランとする場合も含まれる。また、水廻りのプランにおいて、すべての部位が複数のバリエーションを有している場合だけでなく、たとえば台所の形状が固定されており、その他の浴室などの形状が種々変化するような場合も含まれる。
【００１５】
リビング（本明細書においては、簡単のために、ダイニングとリビングを合わせてリビングと称する）は、ベランダに面して設けられるのが一般的であり、また台所を含む水廻りと連続して配置する必要があるので、本発明では、住戸のベランダ側の形状および水廻りの形状に適合し、面積の異なる複数種類のプランが記憶手段２に記憶されている。具体的には、たとえば図４に示されるように、３つのタイプのリビングＬが記憶されている。
【００１６】
広いリビングを希望するユーザーは、図４の実線または破線で示されるリビングを選定するであろうし、後述するように部屋数を多く確保したいユーザーは図４の一点鎖線で示されるリビングを選定することになる。
【００１７】
なお、図４に示される例では、ベランダが短いため、ベランダ全体にリビングが面しているタイプをデータとして記憶しているが、ベランダ長さを大きくとれる住戸の場合は、ベランダに面するスペースの一部をリビングとし、残りを居室とするようになリビングプランを採用することができる。
【００１８】
前記データには、さらにリビング以外の居室の複数種類のプラン、および納戸を含む複数の収納スペースのプランが含まれている。
【００１９】
居室については、居室用として利用できるスペースが限られてくるため、ベランダ以外の窓、たとえば廊下側の窓に面するスペースは基本的に居室として利用するという前提で複数種類の居室のプランが記憶手段２に記憶されている。
【００２０】
また、前述した水廻り、リビングおよび居室以外のスペースのプラニング用データとして、納戸、押入、ウォークインクローゼットなどの収納スペースの複数のプランも記憶手段２に記憶されている。
【００２１】
本発明における表示手段３および入力手段４は、とくに限定されるものではなく、通常のものを用いることができ、たとえば表示手段３としては、液晶表示素子、プラズマ表示素子またはＣＲＴなどを用いることができ、また入力手段４としては、キーボードやマウスなどを用いることができる。
【００２２】
つぎに前述したシステムを用いた、本発明の集合住宅の間取りの選定方法について説明する。
【００２３】
（１）まず、記憶手段２に記憶されている住戸の基本プランを呼び出して表示手段３上に表示する。その際、各住戸のプランに対して、延床面積やおおよその価格（プラニングによって多少の価格の変動が考えられるが、標準的プラニングに対する価格または価格帯を入力しておく）を付属情報として入力しておき、ユーザーの希望に応じて、延床面積や価格によって住戸のプランを絞り込んで、絞り込まれたいくつかのプランを表示するようにしてもよい。そして、基本となる住戸のプランが入力手段４によって選定されると、当該プランだけが表示手段３上に表示される。この選定は、キーボードで番号を入力して行なうようにしてもよいし、表示手段３上のポインターをマウスを用いてプランの上に移動させて当該マウスをクリックすることで行なうようにしてもよい。
【００２４】
（２）つぎに水廻りのプラニングを行なう。前記（１）のステップで選定された基本プラン毎に予め記憶されている複数のプランを表示手段３上に表示する。この水廻りのプランには、前述したように、通常浴室、トイレおよび洗面所などが含まれており、かつパイプスペースを含むように設定されている。入力手段４により水廻りのプランが選定されると、中央処理装置１によって当該水廻りのプランが基本プラン上に合成される（図３参照）。
【００２５】
（３）ついでリビングのプラニングを行なう。水廻りの場合と同様にして、基本のプランに対応した複数のリビングのプランを表示手段３上に表示し、入力手段４の操作により所望のリビングを選定する。選定されたプランは中央処理装置１によって基本プランの上に合成される（図４参照）。
【００２６】
（４）つぎに、リビング以外の複数の居室のプランを表示手段３上に表示し、入力手段４の操作により所望の居室を選定する。選定されたプランは、中央処理装置１によって基本プランの上に合成される。通常、ベランダに面する窓以外の窓に対応して居室が設定されるが、このような窓が複数存在する場合は、それぞれの窓に面する居室について順次プランの選定を行なう。
【００２７】
（５）最後に収納スペースのプラニングを行なう。前記水廻りなどと同様にして、複数の収納スペースのプランを表示手段３上に表示し、入力手段４の操作により、前記基本プランの空きスペースの範囲内で所望のプランを選定する。選定されたプランは、中央処理装置１によって基本プランの上に合成される（図５参照）。図５において、ＣＬは収納スペースであるウォークインクローゼットを示している。
【００２８】
なお、ユーザーによっては、収納スペースよりも、多少面積が小さくても部屋を希望する場合がある。この場合、リビングなどの窓に面するスペースに続くスペースではリビングなどとのあいだにふすまや引き戸などの開口部を形成することで部屋として使用することができる。
【００２９】
そこで、本発明では、収納スペースをプラニングするのに代えて、または複数の収納スペースが存在する場合にその一部について、収納スペースと同面積の窓無しタイプの部屋のプラニングを行なうこともできる。この窓無しタイプの部屋は、たとえば前記ふすまなどの開口部を介してリビングなどと連続した空間になり得る部屋であり、このタイプの部屋の複数のプランを前記表示手段３上に表示し、前記入力手段４を操作して、前記住戸のプランの空きスペースの範囲内で所望のプランを選定する。この選定された窓無しタイプの部屋Ｒのプランは前記中央処理装置１によって、前記住戸のプランの所定の位置に合成される（図６参照）。
【００３０】
（６）以上のようにして、プラニングが終了するが、できあがった間取りは中央処理装置１に接続されたプリンターなどの出力手段５により出力することができる。その際、部屋の種類ごとに色分けなどをすれば見易くなる。
【００３１】
なお、以上述べた操作によって完成したプランを記憶手段に記憶させておくとともに、各プランに対応してどのような台所を選定したのか、または居室の数はいくつであるのかといった付帯情報を関連づけて記憶させておき、新たなユーザーに対して、希望する台所の種別や居室の数などにより簡単にサンプルプランを検索することができるようにしてもよい。
【００３２】
【発明の効果】
以上説明したように、本発明によれば、部屋の種類ごとに予め記憶させておいた複数のプランの中から所望のプランを選定することにより、ユーザーの希望に沿ったプラニングを簡単に行なうことができ、マンションなどの集合住宅の販売戦略上非常に有効なツールとなり得る。そして、選定の対象が複数種類存在するとともに、各対象について選択肢が数個〜数十個存在するので、従来のせいぜい数種類のバリエーションとは異なり数十〜数百種類もの豊富なバリエーションを提供することができる。また、所定の手順にしたがって操作をしていけばよいので、高度の知識や経験を必要としない。したがって、現場の営業マンでも比較的簡単にプラニングをすることができ、携帯用のパソコンなどを利用すれば客先でも商談を進めることができる。
【図面の簡単な説明】
【図１】本発明の集合住宅の間取りの選定システムの構成図である。
【図２】住戸の基本プランの一例を示す図である。
【図３】台所のプランの例を示す図である。
【図４】リビングのプランの例を示す図である。
【図５】完成した集合住宅の間取りの一例を示す図である。
【図６】集合住宅の間取りの他の例を示す図である。
【符号の説明】
Ｓ  集合住宅の間取りの選定システム
１  中央処理装置
２  記憶手段
３  表示手段
４  入力手段
５  出力手段
【図１】
2004326699.tif 000003
【図２】
2004326699.tif 000004
【図３】
2004326699.tif 000005
【図４】
2004326699.tif 000006
【図５】
2004326699.tif 000007
【図６】
2004326699.tif 000008